(57)【要約】【課題】  あらゆる種類の履物を載置させても、移動させる際の安定性に優れた履物収納具の提供。【解決手段】  本考案の履物収納具Ａは、履物Ｓ１が載置される上段パネル１と、他方の履物Ｓ２を載置する下段パネル２と、支持部３と、上段パネル１に立設して取り付けられるストッパー４から構成される。このストッパー４は、上段パネルの左右の辺１Ｌ，１Ｒに係合した際、上段パネル１の前後方向にスライド可能とされている。【選択図】      図３
0003104965.tif 000002
【実用新案登録請求の範囲】
【請求項１】
左右一足のうちの一方の履物が載置される上段パネルと他方の履物を載置する下段パネルとが上下に離隔して配置され、前記上段パネル及び前記下段パネルの前部を支持部により連設されてなる履物収納具であって、
前記上段パネルに立設して取り付けられ、前記上段パネルの左右の辺に係合する係合溝を有し、この係合溝を前記上段パネルの左右の辺に係合した際に、前記上段パネルの前後方向にスライド可能とされるストッパーを備えることを特徴とする履物収納具。
【請求項２】
前記上段パネルには、前記上段パネルの左右の辺に前後方向に沿って下方に膨出する膨出部が設けられ、
前記ストッパーの前記係合溝は、前記膨出部を収容可能なＬ字形に形成されることを特徴とする請求項１に記載の履物収納具。
【請求項３】
前記ストッパーは、前記係合溝を、Ｌ字形が向き合う配置にて二個有し、これらが互いに隣接していることを特徴とする請求項２に記載の履物収納具。
【請求項４】
前記ストッパーは、前記二個の係合溝を、Ｌ字形の水平辺の先端が近接する配置にて有することを特徴とする請求項３に記載の履物収納具。
【請求項５】
前記係合溝が、前記ストッパーの長手方向の一端寄りに設けられることを特徴とする請求項１〜４のいずれかに記載の履物収納具。
【請求項６】
前記上段パネルの上面に、突起状ストッパーを密に形成することを特徴とする請求項１〜５のいずれかに記載の履物収納具。
【請求項７】
前記支持部に、貫通穴が設けられることを特徴とする請求項１〜６のいずれかに記載の履物収納具。
【考案の詳細な説明】
【技術分野】
【０００１】
本考案は、左右一足の靴を収納する際に用いられる履物収納具に関する。
【背景技術】
【０００２】
従来から、玄関や下駄箱の限られたスペースにより多くの履物を収納するために、左右一足の履物を上下に載置させて収納する履物収納具が提案されている（例えば、特許文献１参照）。
【特許文献１】実用新案登録第３０９９２６１号公報
【考案の開示】
【考案が解決しようとする課題】
【０００３】
上記で提案されている履物収納具は、左右一足のうちの一方の履物が載置される下段パネルと、他方の履物を載置する上段パネルが、上下に離隔して配置され、下段パネル及び上段パネルの前部を支持部により連設されてなるものである。この履物収納具には、支持部が形成されているので、履物収納具に履物を移動させることができる。
【０００４】
しかしながら、ハイヒールやパンプス等のヒールの高い履物を、この履物収納具に載置させた状態で移動させる場合、安定性が悪く、履物収納具から載置させていた履物が、倒れ落ちるという問題があった。
【０００５】
本考案は、かかる事情に鑑みてなされたものであり、あらゆる種類の履物を載置させても、移動させる際の安定性に優れた履物収納具の提供を目的とする。
【課題を解決するための手段】
【０００６】
上記の課題を解決するため、本考案の履物収納具は、左右一足のうちの一方の履物が載置される上段パネルと他方の履物を載置する下段パネルとが上下に離隔して配置され、前記上段パネル及び前記下段パネルの前部を支持部により連設されてなるものであって、前記上段パネルに立設して取り付けられ、前記上段パネルの左右の辺に係合する係合溝を有し、この係合溝を前記上段パネルの左右の辺に係合した際に、前記上段パネルの前後方向にスライド可能とされるストッパーを備えることを特徴とする。
【０００７】
また、好ましくは上記の構成に加えて、前記上段パネルには、前記上段パネルの左右の辺に前後方向に沿って下方に膨出する膨出部が設けられ、前記ストッパーの前記係合溝は、前記膨出部を収容可能なＬ字形に形成されることを特徴とする履物収納具である。
【０００８】
また、好ましくは上記に加えて、前記ストッパーは、前記係合溝をＬ字形が向き合う配置にて二個有し、これらが互いに隣接していることを特徴とする履物収納具である。
【０００９】
さらに、好ましくは上記の構成に加えて、前記ストッパーは、前記二個の係合溝を、Ｌ字形の水平辺の先端が近接する配置にて有することを特徴とする請求項３に記載の履物収納具である。
【００１０】
また、上記いずれかの構成に加えて、前記係合溝が、前記ストッパーの長手方向の一端寄りに設けられることを特徴とする履物収納具である。
【００１１】
或いは、上記いずれかの構成に加えて、前記上段パネルの上面に、突起状ストッパーを密に形成することを特徴とする履物収納具である。
【００１２】
或いは、上記いずれかの構成に加えて、前記支持部に、貫通穴が設けられることを特徴とする履物収納具である。
【考案の効果】
【００１３】
本考案の履物収納具は、ストッパーを備えているので、ハイヒールやパンプス等のヒールの高い履物を載置させた状態で、移動させる場合であっても、載置された履物が倒れ落ちることがなく、安定性に優れたものである。また、このストッパーは、上段パネルの前後方向にスライド可能とされているので、あらゆる種類の履物に対して、適応することが可能である。
【考案を実施するための最良の形態】
【００１４】
以下、本考案の履物収納具について、図面を参照しながら説明するが、本考案はこれらの実施例に記載されたもののみに限定されるものではない。
【００１５】
図１は、本考案の一実施例である履物収納具Ａの正面図であり、図２は、履物収納具Ａの平面図であり、図３は、履物収納具Ａの外観斜視図である。これらの図に示すように、本実施例の履物収納具Ａは、履物Ｓ１が載置される上段パネル１と、他方の履物Ｓ２を載置する下段パネル２と、支持部３と、上段パネル１に立設して取り付けられるストッパー４から構成される。
【００１６】
これらの図に示すように、上段パネル１は、ヒールの高い履物を収納する場合に、収納スペースを縮小する観点から、下段パネル２に対して、パネル間の間隔が後部において拡開するよう傾斜させて設けられている。この場合、上段パネル１の上面に、板状ストッパー１１、突起状ストッパー１２を設けておくと、上段パネル１に載置される履物Ｓ１が、滑り落ちるのを防止すると共に、履物Ｓ１を上段パネル１に載置させた状態で履物収納具Ａを移動させる場合であっても、履物Ｓ１が倒れるのを抑制し、移動させる際の安定性を向上させることができる。また、突起状ストッパー１２を上段パネル１上に密に形成することにより、本実施例のように、上段パネル１の上面に対する接地面積が小さいヒールの高い履物Ｓ１を載置させる場合においても、安定性に優れたものとなる。具体的には、突起状ストッパー１２は、直径１．５〜２．５ｍｍ、高さ０．５〜２ｍｍで先端部が丸みを帯びた円錐形とされており、この突起状ストッパー１２の中心間の間隔を４〜６ｍｍとして上段パネル上に密に形成するのが好ましい。
【００１７】
図４は、ストッパー４の外観斜視図であり、図５は、上段パネル１に対するストッパー４の取付け状態を示す断面図である。ストッパー４は、板状に形成されたストッパー本体４０の片面４１に、中央壁４２が立設され、この中央壁４２を挟んで両側に第１外壁４３と第２外壁４４が立設されている。中央壁４２、第１外壁４３及び第２外壁４４は、ストッパー本体４０の幅方向全長に亘る長さに形成されており、これらの両面は平面に形成されている。中央壁４２の先端部には、第１外壁４３に向けて第１突部４５が、第２外壁４４に向けて第２突部４６が形成されている。そして、中央壁４２と第１外壁４３及び第１突部４５によって囲まれる空間によって、第１係合溝４７が構成され、同じく、中央壁４２と第２外壁４４及び第２突部４６によって囲まれる空間によって、第２係合溝４８が構成される。
【００１８】
第１係合溝４７若しくは第２係合溝４８を上段パネル１の左右の辺１Ｌ，１Ｒに係合することにより、ストッパー４が上段パネル１に立設して取り付けられる。このように、ストッパー４を上段パネル１に取り付けることで、図１〜３に示すように、ヒールの高い履物Ｓ１，Ｓ２を載置させた状態で履物収納具Ａを移動させる場合であっても、載置された履物Ｓ１，Ｓ２が倒れ落ちるのを防止し、移動させる際の安定性に優れたものとなる。なお、本実施例では、上段パネル１に載置される履物Ｓ１に対し二個のストッパー４，４を、下段パネル２に載置される履物Ｓ１に対し二個のストッパー４，４を用いているが、履物収納具Ａに載置される履物の種類、サイズ等や、履物収納具Ａの設置状況等に応じて、取り付けるストッパー４の数を適宜調整することができる。
【００１９】
また、図４及び図５に示すように、第１係合溝４７及び第２係合溝４８は、Ｌ字形状とされている。これは、上段パネル１の左右の辺１Ｌ，１Ｒに前後方向に沿って下方に膨出する膨出部１ａ，１ｂがそれぞれ設けられており、この膨出部１ａ，１ｂを収容可能にするためである。このように、上段パネル１に膨出部１ａ，１ｂを設けて、第１係合溝４７及び第２係合溝４８をＬ字形状とすることで、上段パネル１に対するストッパー４の取付けを強固にすることができ、履物Ｓ１，Ｓ２が倒れる際に加わる力に、十分耐えることができる。従って、履物収納具Ａに載置される履物Ｓ１，Ｓ２が、倒れ落ちるのを、より確実に防止することができる。
【００２０】
また、上段パネル１の左右の辺１Ｌ，１Ｒに、ストッパー４の第１係合溝４７若しくは第２係合溝４８を係合した際に、ストッパー４は、上段パネル１の前後方向にスライド可能とされている。従って、ストッパー４の上段パネル１に対する取り付け位置を、履物収納具Ａに載置される履物の種類、サイズ等に応じて、適宜変更することが可能であり、履物収納具Ａは、あらゆる種類の履物を載置させても、移動させる際の安定性に優れたものとなる。なお、本実施例では、ストッパー４の第１係合溝４７及び第２係合溝４８は、Ｌ字形状とされているので、ストッパー４は、上段パネル１の後方から、スライドさせて取り付けられる。
【００２１】
上述したように、ストッパー本体４０には、第１係合溝４７及び第２係合溝４８が設けられているが、これらは、図４及び図５に示すように、Ｌ字形が向き合う配置にて、互いに隣接している。このような構成にすることで、一つのストッパー４を上向きにも下向きにも使用することができる。すなわち、本実施例においては、ストッパー４の第１係合溝４７を上段パネル１の左右の辺１Ｌ，１Ｒに係合することで、上段パネル１に載置される履物の横転を防止し、ストッパー４の第２係合溝４８を上段パネル１の左右の辺１Ｌ，１Ｒに係合することで、下段パネル２に載置される履物の横転を防止することが可能となる。
【００２２】
また、本実施例のように、第１係合溝４７と第２係合溝４８のＬ字形の水平辺の先端が、近接する配置にて、ストッパー本体４０に設けられるのが好ましい。このような構成にすることにより、例えば、図５に示すように、上段パネル１の左右の辺１Ｌ，１Ｒに、第１係合溝４７を係合させた場合、第２係合溝４８は上段パネル１の下方に位置するので、上段パネル１に載置させる履物の邪魔になることがなく、収納スペースを有効に利用することが可能となる。なお、上段パネル１の左右の辺１Ｌ，１Ｒに、第２係合溝４８を係合させた場合も同様である。
【００２３】
また、本実施例のように、第１係合溝４７及び第２係合溝４８は、ストッパー４の長手方向の一端寄りに設けられるのが好ましい。このような構成にすることで、ヒールの高い履物はもちろん、ヒールの低い履物（特に、下段パネル２に載置される履物）に対しても、履物収納具Ａから倒れ落ちるのを防止することが可能となると共に、ストッパーの形状を、コンパクトな設計とすることが可能となる。
【００２４】
図６は、ストッパー４の他の実施態様に係るストッパー５を示す外観斜視図であり、図７は、ストッパー５の上段パネル１に対する取付け状態を示す断面図である。ストッパー５は、板状に形成されたストッパー本体５０の片面５１に、中央壁５２が立設され、この中央壁５２を挟んで両側に第１外壁５３と第２外壁５４が立設されている。中央壁５２、第１外壁５３及び第２外壁５４は、ストッパー本体５０の幅方向全長に亘る長さに形成されており、これらの両面は平面に形成されている。中央壁５２の先端部には、第１外壁５３に向けて第１突部５５が、第２外壁５４に向けて第２突部５６が形成されている。そして、中央壁５２と第１外壁５３及び第１突部５５によって囲まれる空間によって、第１係合溝５７が構成され、同じく、中央壁５２と第２外壁５４及び第２突部５６によって囲まれる空間によって、第２係合溝５８が構成される。また、第１突部５５及び第２突部５６は、それぞれ、ストッパー本体５０の板面に対して垂直な方向に延出された第１延出部５ａ、第２延出部５ｂを備え、この第１延出部５ａ及び第２延出部５ｂは、それぞれの外側の面５ｃ，５ｄに突出した第１当接部５ｅ及び第２当接部５ｆが設けられている。図７に示すように、第１当接部５ｅ及び第２当接部５ｆは、上段パネル１の下面に当接し、ストッパー５の上段パネル１に対する取付けを補強している。
【００２５】
また、本実施態様においても、第１係合溝５７と第２係合溝５８が、Ｌ字形の水平辺の先端が近接する配置にて、ストッパー本体５０に設けられているので、例えば、図７に示すように、上段パネル１の左右の辺１Ｌ，１Ｒに、第１係合溝５７を係合させた場合、第２係合溝５８、第２延出部５ｂ及び第２当接部５ｆは、上段パネル１の下方に位置するので、上段パネル１に載置させる履物の邪魔になることがなく、収納スペースを有効に利用することが可能となる。なお、上段パネル１の左右の辺１Ｌ，１Ｒに、第２係合溝５８を係合させた場合も同様である。
【００２６】
図３に示すように、履物収納具Ａの支持部３は、上段パネル１と下段パネル２によって挟まれる空間の前部を後部側に開いた状態で囲むように形成されている。また、支持部３の前部が支持部３の後部より幅狭に形成され、支持部３の前部左右両側面を把持することができるように形成されている。
【００２７】
支持部３の前部左右両側面には、横方向に細長い形状を有した貫通孔３１，３１が設けられており、この貫通孔３１，３１は、支持部３を把持して履物収納具Ａを移動させる際の滑り止めとして機能する。また、支持部３の前部中央部付近には、貫通穴３２が設けられており、この貫通穴３２に指を引掛けることで、履物収納具Ａを、片手で簡単に、下駄箱等から取り出すことが可能となる。
【図面の簡単な説明】
【００２８】
【図１】本考案の履物収納具の一実施例を示す正面図である。
【図２】本考案の履物収納具の一実施例を示す平面図である。
【図３】本考案の履物収納具の一実施例を示す外観斜視図である。
【図４】図１の履物収納具のストッパーを示す外観斜視図である。
【図５】図４のストッパーの取付け状態を示す断面図である。
【図６】本考案の履物収納具のストッパーの他の実施態様を示す外観斜視図である。
【図７】図６のストッパーの取付け状態を示す断面図である。
【符号の説明】
【００２９】
１    上段パネル
２    下段パネル
３    支持部
４    ストッパー
５    ストッパー
１１  板状ストッパー
１２  突起状ストッパー
３１  貫通孔
３２  貫通穴
４７  第１係合溝
４８  第２係合溝
５７  第１係合溝
５８  第２係合溝
Ａ    履物収納具
【図１】
0003104965.tif 000003
【図２】
0003104965.tif 000004
【図３】
0003104965.tif 000005
【図４】
0003104965.tif 000006
【図５】
0003104965.tif 000007
【図６】
0003104965.tif 000008
【図７】
0003104965.tif 000009